(57)【要約】  着用した時に衣服が変形しないように、衣服の胸ポケット等のポケット内に保持された物体の重量を支持すべく衣服に縫い込まれたストラップを使用するためのデバイスおよび方法に関する。携帯用ケースを使用して、衣服のポケット内の物体を保持することにより、携帯用ケースを確実に保持かつ携帯用ケースを胸ポケットから容易に取り外すことができる。
2008512578.tif 000002
【特許請求の範囲】
【請求項１】
衣服の胸ポケットに取り付けられたストラップを備えるデバイスであって、該ストラップが該衣服の肩へ向かって上向きに延びることを特徴とするデバイス。
【請求項２】
前記ストラップが前記衣服の裏地とアウターシェルとの間に位置することを特徴とする請求項１に記載のデバイス。
【請求項３】
前記ストラップが、前記胸ポケットの中に配置された物体の重量を支持することを特徴とする請求項１に記載のデバイス。
【請求項４】
前記ストラップが前記胸ポケットの上半分に取り付けられることを特徴とする請求項１に記載のデバイス。
【請求項５】
前記ストラップが前記衣服の肩に取り付けられることを特徴とする請求項１に記載のデバイス。
【請求項６】
前記ストラップが前記衣服の肩を越えて延びて、該衣服の背部分の位置に取り付けられることを特徴とする請求項１に記載のデバイス。
【請求項７】
少なくとも２つのストラップを備え、該ストラップの一方が、前記衣服の肩を越えて延びて該衣服の背部分の位置に取り付けられ、該ストラップの他方が、該衣服の背を越えて横方向に延びて該衣服の反対側の肩に取り付けられることを特徴とする請求項１に記載のデバイス。
【請求項８】
前記ストラップが単繊維を含むことを特徴とする請求項１に記載のデバイス。
【請求項９】
前記ストラップが、前記衣服のインナーシェルまたはアウターシェルの一部ではない布地ストリップを含むことを特徴とする請求項１に記載のデバイス。
【請求項１０】
ストラップで胸ポケットを支持する工程を含む衣服の胸ポケットを支持する方法であって、該ストラップが該衣服の肩へ向かって上向きに延びることを特徴とする方法。
【請求項１１】
前記ストラップが前記衣服の肩に取り付けられることを特徴とする請求項１０に記載の方法。
【請求項１２】
前記ストラップが前記衣服の肩を越えて延びて、該衣服の背部分の位置に取り付けられることを特徴とする請求項１０に記載の方法。
【請求項１３】
少なくとも２つのストラップで前記胸ポケットを支持する工程を含み、該ストラップの一方が前記衣服の肩を越えて延びて、該衣服の背部分の位置に取り付けられ、該ストラップの他方が該衣服の背を越えて横方向に延びて該衣服の反対側の肩に取り付けられることを特徴とする請求項１０に記載の方法。
【請求項１４】
前記ストラップが単一の単繊維を含むことを特徴とする請求項１０に記載の方法。
【請求項１５】
前記衣服の胸ポケットに近接する衣服の内側に取り付けられた第１の留め具と、
第２の留め具を有する携帯用ケースとを備え、該第２の留め具は該携帯用ケースを該第１の留め具に対して取り外し可能に取り付けることを特徴とするデバイス。
【請求項１６】
前記第１の留め具が、前記衣服の肩へ向かって上向きに延びるストラップに取り付けられることを特徴とする請求項１５に記載のデバイス。
【請求項１７】
前記ストラップが前記衣服の裏地とアウターシェルとの間に位置することを特徴とする請求項１６に記載のデバイス。
【請求項１８】
前記第１の留め具がホックを含み、前記第２の留め具が小穴を含むことを特徴とする請求項１５に記載のデバイス。
【請求項１９】
前記携帯用ケースが前記衣服の胸ポケットに収まることを特徴とする請求項１５に記載のデバイス。
【請求項２０】
前記携帯用ケースの第１の端に取り付けられた第３の留め具の第１の側面と、
該携帯用ケースの第２の端に取り付けられた該第３の留め具の第２の側面とを備え、
該第３の留め具が１つに合わされた時、該第３の留め具が該携帯用ケースを折り畳まれた姿勢に保持することを特徴とする請求項１５に記載のデバイス。
【請求項２１】
前記携帯用ケースを別の携帯用ケースに着脱可能に合わせるために第３の留め具を含むことを特徴とする請求項１５に記載のデバイス。
【請求項２２】
衣服の胸ポケットに携帯用ケースを収納する工程と、
該携帯用ケースに取り付けられた留め具の第１の側面を、該衣服に取り付けられた留め具の第２の側面に対して着脱可能に連結する工程とを含む方法。
【請求項２３】
前記携帯用ケースを折り畳む工程と、
該折り畳まれた携帯用ケースの第１の端を、該折り畳まれた携帯用ケースの第２の端に対して着脱可能に連結する工程とを含む請求項２２に記載の方法。
【請求項２４】
前記携帯用ケースを別の携帯用ケースに対して着脱可能に連結する工程を含む請求項２２に記載の方法。
【発明の詳細な説明】
【技術分野】
【０００１】
シャツ、スーツ、ジャケット、コートおよび他の衣服等の紳士用の上着は、その前面に位置して通常は着用者の胸部に隣接するポケットを含む。このようなポケットは胸ポケットの場合もあり、通常、財布、ペン、鍵、携帯端末、携帯電話または着用者が身に付けることができる他の道具を確実に保持するための十分な大きさを有する。胸ポケットにこのような比較的大きく重い物を入れることは、便利かつ安全であるものの、身に付けたシャツ、ジャケット、コートまたは他の衣服に体裁の悪いふくらみやたるみが生じることがある。
【背景技術】
【０００２】
ジャケット、コートまたは他の衣服を脱いだり保管する際に、着用者は胸ポケットに手を差し込んで、財布、電話、鍵、パスポートまたはクレジットカード等の身の回り品を取り出すことがある。通常、着用者は、衣服を保管する前にこのような身の回り品をズボンのポケットまたは別の容器に保管し直す。このような動作は、不便かつ面倒で時間がかかり、胸ポケットを使用する利点がなくなる。
【発明の開示】
【発明が解決しようとする課題】
【０００３】
本発明は、上記した懸案を鑑みてなされたものである。
【課題を解決するための手段】
【０００４】
本発明の目的は、衣服の胸ポケットに取り付けられたストラップを備えるデバイスを提供することであり、このようなストラップは衣服の肩へ向かって上向きに延びている。
【０００５】
また、本発明の目的は、胸ポケットに近接する衣服の内側に取り付けられた第１の留め具付きデバイス、および、第１の留め具に携帯用ケースを取り外し可能に取り付けるための第２の留め具を有する携帯用ケースを提供することである。
【０００６】
さらに、本発明の目的は、衣服の胸ポケットに携帯用ケースを収納する工程、および、携帯用ケースに取り付けられた留め具の第１の側面を衣服に取り付けられた留め具の第２の側面に着脱可能に連結する工程を含む方法を提供することである。
【発明を実施するための最良の形態】
【０００７】
本発明の実施例は、添付の図面と共に以下の詳細な説明から十分に理解されるものである。
【０００８】
以下の記載において、本発明の様々な態様について説明する。説明の目的上、本発明を十分に理解するために特定の構成および形態について記載する。しかしながら、本明細書に提示された特定の構成を用いずに本発明を実施できることも、当業者には明らかである。さらに、周知の特徴は、本発明を曖昧にしないように省略または簡略化されている場合がある。本明細書において様々な例が示される。これらは単に、本発明における特定の実施例の説明に過ぎない。本発明の適用範囲は、示された例に限定されない。
【０００９】
図１Ａおよび図１Ｂにおいて、本発明の実施例によるポケット支持付き衣服を示す。ストラップ１００は、衣服１０４のポケット１０２、例えば胸ポケット（ポケット１０２は他のタイプのポケットでもよい）に取り付け可能である。ストラップ１００は、衣服１０４の肩１０６へ向かって上向きに延び、肩１０６またはその付近の縫い合わせ部分や他の布地部分に取り付けることも可能である。いくつかの実施例において、ストラップ１００は、例えば重量のある物を胸ポケット１０２の中に収納した時に、衣服１０４のたるみや変形を最小限に抑えるまたは回避するために胸ポケット１０２を支持することができる。
【００１０】
いくつかの実施例において、ストラップ１００は、胸ポケット１０２の裏地または縫い合わせ部分の１つまたは複数の位置に縫い付けたり、他の方法により取り付けることができる。例えばストラップ１００は、胸ポケット１０２の上部内へ縫い込むか、接着するかまたは織り込んでもよく、あるいは胸ポケット１０２の下半分１０３および／または胸ポケット１０２の上部に対して縫い付けるか、接着するかまたは織り込んでもよい。いくつかの実施例において、ストラップ１００は、胸ポケット１０２の腹側および背側を包み込むことにより、胸ポケット１０２の両面を支持できる。ストラップ１００は、例えばストラップ１００が衣服１０４の内側で移動しないように、衣服１０４の前側または背側に沿い、かつ、ストラップが通過できるループ１０５により、所定の位置に保持される。いくつかの実施例において、ストラップ１００は、衣服１０４の裏地１１２の一部として織り込んでも他の方法により含まれてもよい。
【００１１】
いくつかの実施例において、ストラップ１００は、例えば裏地、襟裏地または他の小切れのような布で作るか、またはそのような布を含むことができる。いくつかの実施例において、ストラップ１００は、単繊維（ｆｉｌａｍｅｎｔ）もしくは糸、ひもまたはポリマー・リボンからなってもよい。他の布地または材料をストラップ１００に使用または含めることも可能である。
【００１２】
いくつかの実施例において、ストラップ１００は、衣服１０４の内側または外側から見えないように、衣服１０４の裏地１１２と衣服１０４のアウターシェル（ｏｕｔｅｒ  ｓｈｅｌｌ）１０７との間に配置することも可能である。いくつかの実施例において、ストラップ１００は、衣服１０４の裏地１１２の外側または一部外側に配置されてもよい。ストラップ１００の他の配置も可能である。
【００１３】
図１Ｂに示すように、ストラップ１００は、肩１０６に向かって上向きに延び、肩１０６を越えて衣服１０４の背部分に向かい、さらに衣服１０４の背部分に沿った位置に取り付けることができる。例えば、いくつかの実施例において、ストラップ１００は、肩１０６を通り越した後で、衣服１０４の背縫い目または脇縫い目１０８に沿って取り付けることも可能である。他の位置や追加箇所において、ストラップ１００を衣服１０４に取り付けることも可能である。
【００１４】
いくつかの実施例において、複数のストラップ１００は、胸ポケット１０２、および衣服１０４の様々な箇所に取り付けることができる。例えば、第１のストラップ１００Ａは、肩１０６に向かって上向きに延び、さらに肩１０６を越えて延びて、例えば衣服１０４の脇縫い目１０８に取り付けることができる。第２のストラップ１００Ｂは、肩１０６に向かって上向きに延び、衣服１０４の背を横方向に延びて、反対側の肩１１０の縫い目や領域に取り付けることができる。胸ポケット１０２内に収納した物の重量を支持、かつ、そのような重量により衣服１０４が変形しないようにするために、ストラップ１００と、これらストラップ１００が取り付けられる衣服１０４の複数の箇所を別に組み合わせることも可能である。
【００１５】
いくつかの実施例において、衣服１０４の裏地１１２は、ジャケットやコートに通常使用されるものとは異なる別の布地で形成することにより、ポケット１０２がストラップ１００に支持されている時に、重くなったポケット１０２の揺れで着用者の身体の近くの裏地１１２が引っぱられることがない。いくつかの実施例において、衣服１０４に組み込まれたこのような別の裏地１１２により、ポケット１０２が裏地１１２から比較的自由に動くことができる。
【００１６】
図２において、本発明の一実施例による方法を説明するフロー・チャートを示す。ブロック２００において、衣服の着用者は、衣服の胸ポケットに物を収納する。ブロック２０２において、衣服の着用者は、例えば、胸ポケットまたは胸ポケットの周囲の１つまたは複数の位置や、衣服の他の１つまたは複数の箇所に取り付けられる１つまたは複数のストラップ、ひも、リボンまたは布地で、衣服の胸ポケットに収納された物の重量を支持することができる。ストラップは、例えば、衣服の肩部分の縫い目または他の部分に取り付けることができる。いくつかの実施例において、ストラップが胸ポケットを支持するため、衣服の着用中に胸ポケット内の重い物体による衣服の変形が防止できる。いくつかの実施例において、ストラップは、肩領域を越えて延び、衣服の背または他の部分に取り付けることも可能である。いくつかの実施例において、ストラップはまた、衣服の裏地とアウターシェルとの間において衣服に取り付けられ、かつストラップが通過できるループ等によって所定の位置に保持され、さらに衣服の着用時にストラップが衣服の内側で移動しないようにゆるく保持される。いくつかの実施例において、２つ以上のストラップを胸ポケットに取り付けることも可能である。いくつかの実施例において、衣服の２つ以上の胸ポケットを、支持ストラップ等に取り付けることができる。２つのストラップを用いる実施例において、一方のストラップは、衣服の肩部分を越えて延びて衣服の背部分の箇所に取り付けられてもよく、他方のストラップは、衣服の首部分の後ろを横方向に延びて反対側の肩に取り付けられてもよい。他の数の支持ストラップを使用することも可能であり、他の複数の箇所においてこのようなストラップを衣服の内側に取り付けることも可能である。
【００１７】
図３に示すように、本発明の一実施例による衣服は、ポケットに収納できる取り付け可能な携帯用ケースを有する。いくつかの実施例において、留め具、固定具またはホック３００等の１つまたは複数の留め具を、衣服の胸ポケット１０２の上縁部、あるいは胸ポケット１０２Ａに隣接または近接する他の部分に織り込み、縫い付けまたは他の方法で取り付けてもよい。ホック・アンド・ループ（マジックテープ式）コネクタ（例えばベルクロ（Ｖｅｌｃｒｏ商標）コネクタ）、スナップ、ジッパー、ボタン穴等の他の留め具を使用することも可能である。いくつかの実施例において、１つまたは複数のホック３００を、衣服１０４の裏地または衣服自体を介して、衣服１０４の肩１０６に向かって上向きに延びるストラップ１００に縫い付けたり、あるいは他の方法で取り付けてもよく、また、ストラップ１００が着用者の肩を越えて延びるように、衣服１０４の背面の縫い目に取り付けてもよい。ストラップ１００は、本明細書において説明されたような他の方法で支持することもできる。したがって、ストラップ１００は、ホック３００からつり下げまたは他の方法（例えばスナップ留め、マジックテープ式コネクタによる取り付けなど）によりホック３００に取り付けることのできるケース３０２の重量を支持することができる。いくつかの実施例において、ストラップ１００とホック３００の類似する一式を他方の胸ポケット１０２Ｂに縫い付けたり、あるいは他の方法で取り付けることにより、各胸ポケット１０２には一組のホック３００が取り付けられる。いくつかの実施例において、ストラップ１００は、ストラップ１００が衣服の内側または外側から見えないように、衣服の裏地とアウターシェルとの間に縫い付けることができる。ホック３００は、ホック以外の構造、例えばスナップなどを有することができる。
【００１８】
取り外し可能かつ取り付け可能な携帯用ケース３０２は、胸ポケット１０２に収まるように形成可能である。ケース３０２は、いくつかの実施例において、広げた財布とほぼ同じ外観の柔らかく曲げやすいポーチであってもよい。ケース３０２は、布地、皮革、プラスチックまたはその他の適した材料で作ることができる。ケース３０２は、身に着けたり、携帯したり、あるいは他の方法で容易に取り出せる紙幣、ペン、クレジットカード、パスポート、携帯電話、ＰＤＡ、または他の見回り品を適切に保持するために、１つまたは複数の仕切り３０５を含むことも可能である。ケース３０２は、胸ポケット１０２に容易に収まるように矩形またはその他の形状をなしてもよい。ケース３０２は、胸ポケット１０２から取り外された時に折り畳まれて財布の形状に近くなるように、例えば中央で折り畳むことも可能である。
【００１９】
ケース３０２の上部には、ホック３００と嵌合する留め具のメス側を取り付けることができる。いくつかの実施例において、このメス側はスナップ、留め具、ボタン穴、小穴またはループ３０４であってもよい。ジッパー、ベルクロなどの他の留め具も使用することができる。いくつかの実施例において、携帯用ケース３０２には、留め具のオス端を取り付けてもよく、胸ポケット１０２には、留め具のメス端を取り付けることも可能である。
【００２０】
図４において、本発明の一実施例によるポケットに収納される取り付け可能な携帯用ケースを示す。いくつかの実施例において、ループ３０４または複数のループ３０４を、ケース３０２に縫い付けたり他の方法で直接取り付けてもよい。いくつかの実施例において、ループ３０４を、ケース３０２の一端のループまたは中空の縫い合わせ部に通された心棒３０６に組み込むことができる。心棒３０６は、胸ポケット１０２の内側の平坦部分にケース３０２を広げておくことのできる金属、木材、硬質プラスチックまたは他の硬質材料もしくは一部硬質材料で形成することができる。
【００２１】
使用時には、紙幣、カード、電話、ペン等の手回り品は、ケース３０２の様々な仕切り３０５に差し込むことができる。ケース３０２は、ループ３０４がホック３００に接続もしくは嵌るように、あるいは、ケース３０２および胸ポケット１０２の各々のオス留め具およびメス留め具が１つに合わさるように、胸ポケット１０２に差し込むことができる。ケース３０２は、胸ポケット１０２内に固定されているため、安全に携帯できる。胸ポケット１０２からケース３０２を取り外す時は、ループ３０４等の留め具をホック３００から外してポケット１０２からケース３０２を取り外してもよい。いくつかの実施例において、ケース３０２は、財布のように折り畳み可能な柔らかく曲げやすいものであってもよい。いくつかの実施例において、ケース３０２の１つまたは複数の狭い側面が、例えばベルクロ（商標）マジックテープ式ストリップ等の留め具を有してもよく、このような留め具は、ポケット１０２から取り外されて半分または３分の１に折り畳まれた時にケース３０２を折り畳まれた財布の形状に保持できる。ケース３０２は、他の形状に折り畳むことも可能であり、他の留め具を使用してケース３０２を折り畳んだ状態に維持することも可能である。
【００２２】
図５は、本発明の一実施例において、ストラップにより一緒に取り付けられて保持される２つの携帯用ケースを示す。いくつかの実施例において、ケース３０２Ａは、第１の胸ポケット１０２Ａに収めて携帯することができ、第２のケース３０２Ｂは、衣服の反対側の胸ポケット等の第２の胸ポケット１０２Ｂに収めて携帯することができる。いくつかの実施例において、ケース３０２Ａ，３０２Ｂにはそれぞれ、スナップ、ジッパーまたはベルクロ（商標）ストリップ等の組になった留め具３０８を取り付けることができる。このような留め具３０８は、例えば、ケース３０２Ａがケース３０２Ｂに対して押圧または他の方法で接続された時に、これら２つのケースが留め具３０８により共に保持されて単一体を形成するように、配置されてもよい。１つにされたケース３０２Ａ，３０２Ｂは、衣服から取り外された時に、手、書類かばん、または他の方法で携帯することができる。そのため、ケース３０２Ａ，３０２Ｂを取り外した衣服は、胸ポケットに保持されていた個別の物品を取り出すことなく収納できる。
【００２３】
いくつかの実施例において、１つまたは複数のケース３０２Ａ，３０２Ｂには、ケース３０２を胸ポケット１０２から取り外した後で延ばすことのできる折り畳み可能または格納可能なストラップ３１０を形成することも可能である。ストラップ３１０の両端は、ケース３０２の両側面３１２に取り付けることができ、ストラップ３１０は、使用者の肩にかけてまたは首に回して着用することにより、ケース３０２または単一体として１つに合わされた時のケース３０２Ａ，３０２Ｂの両方が、財布またはハンドバッグのように肩または首にかけて着用できる。
【００２４】
図６は、本発明の一実施例による衣服のポケットに携帯用ケースを取り外し可能に取り付ける方法を示すフロー・チャートである。ブロック６００において、携帯用ケースは衣服の胸ポケットに収納されるため、ケースに取り付けられた１つまたは複数の留め具が胸ポケットの領域において衣服に取り付けられた１つまたは複数の留め具と向き合うかまたは隣接する。ブロック６０２において、ケースに取り付けられた留め具は、衣服に取り付けられた留め具に連結、ホック止めまたは他の方法で接続されるため、衣服の胸ポケットの内側の留め具によりケースを脱着可能に保持する。ケースは、留め具を外すことにより胸ポケットから取り外すことができる。いくつかの実施例において、ケースは一端が他端に接触するように、かつ、ケースが財布の形状を呈するように折り畳むことができる。折り畳まれたケースは、ケース両端の別の組の留め具により、折り畳まれた姿勢で取り外し可能に保持することができる。いくつかの実施例において、第１のケースおよび第２のケースは、各々の組になった留め具により取り外し可能に連結されて、衣服の胸ポケットから離して手軽に携帯できる単一体を形成することも可能である。
【００２５】
本発明の実施例が上記した内容に限定されないことは、当業者に正しく理解されるはずである。本発明の少なくとも１つの実施例の適用範囲は、以下の請求項により画定される。
【図面の簡単な説明】
【００２６】
【図１Ａ】本発明の一実施例による胸ポケット支持付き衣服を示す図。
【図１Ｂ】本発明の一実施例による胸ポケット支持付き衣服を示す図である。
【図２】本発明の一実施例における方法を示すフロー・チャート。
【図３】本発明の一実施例におけるポケットに収納される取り付け可能な携帯用ケース付きの衣服を示す図。
【図４】本発明の一実施例におけるポケットに収納可能かつ取り付け可能な携帯用ケースを示す図。
【図５】本発明の一実施例におけるストラップにより取り付けられ保持される２つの携帯用ケースを示す図。
【図６】本発明の一実施例における衣服に携帯用ケースを収納する方法を示すフロー・チャート。
【図１Ａ】
2008512578.tif 000003
【図１Ｂ】
2008512578.tif 000004
【図２】
2008512578.tif 000005
【図３】
2008512578.tif 000006
【図４】
2008512578.tif 000007
【図５】
2008512578.tif 000008
【図６】
2008512578.tif 000009
【国際調査報告】
2008512578.tif 000010